(57)【要約】【課題】カーテンウォール等の外壁窓において、パネルの自重を積極的に支えつつ、パネル及びパネルを取り付ける構造材の熱変位や地震等による変位の負荷を吸収でき、パネルの破損を防止する窓の提供を目的とする。【解決手段】枠とパネルとセッティングブロックを備え、セッティングブロックは、横枠のパネル嵌合溝に配置してあり、溝底部側の本体部と、本体部の上方にあってパネル下端を載置する受け部と、本体部と受け部を離脱方向に付勢する弾性体からなり、受け部は上下方向に移動自在に本体と係合しており、本体部または／及び受け部には受け部の高さを規制する係止部を設けた窓とした。【選択図】  図１
2005273410.tif 000002
【特許請求の範囲】
【請求項１】
枠とパネルとセッティングブロックを備え、
セッティングブロックは、横枠のパネル嵌合溝に配置してあり、溝底部側の本体部と、本体部の上方にあってパネル下端を載置する受け部と、本体部と受け部を離脱方向に付勢する弾性体からなり、受け部は上下方向に移動自在に本体と係合しており、本体部または／及び受け部には受け部の高さを規制する係止部を設けたことを特徴とする窓。
【発明の詳細な説明】
【技術分野】
【０００１】
本発明は、カーテンウォール等、建築物の外壁を構成する窓に関し、特に、窓を構成するパネル材の支持装置に係る。
【背景技術】
【０００２】
建築物の外壁として、非耐力壁に分類され、壁面をパネルで構成する工法は公知である。
特に、カーテンウォール等の分野にては、ガラスをパネルとして採用している。
この場合に、例えば、図６に示すように、最下部のガラス１０２には、壁面を構成するパネルの自重のみならず、地震等の外的要因よる変位荷重ｆが発生する。
従来は、枠１０１とガラス下端の間に硬質樹脂からなるライナー１１０を敷いていた。
しかし、硬質樹脂からなるライナーでは、変位荷重ｆを充分に吸収できず、変位量が大きくなるとガラスが破損してしまう。
そこで、特開２０００−３１４１９６号公報には、ガラスの下端縁部の幅方向の中間部のみをゴム等の弾性枕材に載置することで、ガラスのロッキング（回転）を容易にし、ガラスの破損を防止する技術を開示する。
【０００３】
しかし、カーテンウォール等の大型化にともない、パネル材の自重そのものが重くなり、
パネルを支持する構造材の上下方向の熱変位量（伸縮量）が増大し、地震等の外的要因による変位も大きくなり、従来の硬質樹脂やゴム材のライナーではガラスの破損を充分には防止できなくなっている。
また、従来の硬質樹脂やゴム材のライナーではパネルの現地施工時に、パネル等の自重にて、このライナーの厚みが変化する恐れもあり、それによりパネル取付位置寸法をその都度調整する必要が生じる場合もあった。
【０００４】
【特許文献１】特開２０００−３１４１９６号公報
【発明の開示】
【発明が解決しようとする課題】
【０００５】
本発明は、上記背景技術に鑑みて、カーテンウォール等の外壁窓において、パネルの自重を積極的に支えつつ、パネル及びパネルを取り付ける構造材の熱変位や地震等による変位の負荷を吸収でき、パネルの破損を防止する窓の提供を目的とする。
【課題を解決するための手段】
【０００６】
本発明に係る窓は、枠とパネルとセッティングブロックを備え、セッティングブロックは、横枠のパネル嵌合溝に配置してあり、溝底部側の本体部と、本体部の上方にあってパネル下端を載置する受け部と、本体部と受け部を離脱方向に付勢する弾性体からなり、受け部は上下方向に移動自在に本体と係合しており、本体部または／及び受け部には受け部の高さを規制する係止部を設けたことを特徴とする。
【０００７】
ここで、枠とはパネルを支持する枠体をいい、パネルとは建築物の外壁を構成するパネルを言う。
パネルには、ガラスパネルが含まれる。
【発明の効果】
【０００８】
本発明においては、セッティングブロックに、横枠の溝底部側の本体部と、本体部の上方にあってパネル下端を載置する受け部と、本体部と受け部を離脱方向に付勢する弾性体を備え、受け部は上下方向に移動自在に本体と係合しているので、パネルに熱変位が生じ伸長した場合や、パネルを支持する構造材が熱変位した場合や、地震等の外的要因により、パネルに下方向（回転方向の変位による部分的な下方向の変位を含む）の変位が生じた場合に、受け部が、下方向に移動（下がる）し、パネルの破損を防止する。
【０００９】
また、セッティングブロックの本体部または／及び受け部には受け部の高さを規制する係止部を設けたので、セッティングブロックとして単独で組み立てることができるだけでなく、本体部と受け部を離脱方向に付勢する弾性体の反発力を、パネルの下端にかかる自重（最下部のパネル自重及びそれよりも上方のパネルの支持により、負荷される荷重を含む。）よりも少し大きめに設定すれば、建築物の外壁にパネルを施工する場合に、パネルの自重にてセッティングブロックの受け部が下に下がる（厚みが変化する）ことが無く、上部パネルの取付位置寸法出しや組み付け性が良い。
【発明を実施するための最良の形態】
【００１０】
図１に本発明に係る窓のパネルの下端部を載置するセッティングブロック部分の断面図を示し、図２にセッティングブロックの分解斜視図を示す。
窓全体は図５に示すように、ガラス等のパネル２を複数枚上下左右に並べて、カーテンウォール等を形成する。
パネル全体の外周はアルミ形材等の横枠１、縦枠１ａ、上枠１ｂ等で形成していて、パネルの下端２ａは、横枠（下枠）１のパネル嵌合溝に臨み、図１に示すようにセッティングブロック１０に載置している。
【００１１】
外壁窓の断面図を図４に示す。
構造材（方立）３は、その上部を構造材吊り具３ａにて躯体に連結し、構造材（方立）の下端は上下移動可能に取り付けている。
構造材３の側部からパネル支持具４を屋外側に向けて突出し、部分拡大図を図３に示すように、各パネル（最下端部のパネルを除く）の下端２ａを受け、下側のパネルの上端２ｂをガイド支持している。
【００１２】
セッティングブロック１０の構造を図１及び図２にて説明する。
横枠１のパネル嵌合溝の底部に配置する本体部１１の上方に、パネル（ガラス）２の下端を載置する受け部１２を備えている。
なお、受け部１２にてパネルの下端を直接受けてもよいが、図１、図２に示す例は、薄い緩衝ライナー１５を受け部１２の表面に張り付けている。
受け部１２の長手方向（パネルの下端に沿った方向）の両側に側壁片１２ａを形成し、この側壁片１２ａにガイド孔（上下方向の長孔）１２ｂを設けている。
そして、本体部１１と受け部１２との間に、弾性体収納部を形成して弾性体１３を上下から挟み込むようにして、係止部１４を受け部のガイド孔１２ｂを通して本体部の取付部１１ａに連結する。
なお、図２に示す例は、係止部をボルト（ビス）にして、本体部の取付部に螺合しているが、受け部１２が上下に移動できればよく、係止部と本体部とを溶接等で連結してもよく、係止構造はこれに限定されない。
また、弾性体１３も本体部１１と受け部１２が上下に離れるように付勢できれば、図２に例を示した板バネに限定されず、コイルバネ等でもよい。
【００１３】
図１に示すように、受け部の両側の側壁片１２ａ、１２ａにそれぞれ、ガイド孔１２ｂＬ、１２ｂＲを形成し、受け部１２の上下移動範囲をガイド孔の上下幅ｓで規制したので、弾性体に所定の反発力を付与しながらセッティングブロックを組み立てることにより、パネル等の自重では受け部１２が下がらないが、それ以上にパネルの下端に荷重がかかると受け部１２が弾性体１３に対抗して下方に移動する。
なお、図１に示す例では、受け部の両側にガイド孔１２ｂＬ、１２ｂＲを形成しているので、受け部１２にロッキング（回転）が生じてもその変位を吸収できる。
また、本体部１１と弾性体１３の間に隙ｋを形成し、弾性体の延びを吸収する。
【００１４】
次に、図３に基づいて、パネルに生じる変位とその吸収構造を説明する。
図３（イ）は上下方向の変位が生じていない状態を示す。
このような状態では、パネル支持具４のパネル支持部４ａは上方側のパネル下端２ａを受け、下方側のパネルの上端２ｂをガイド支持し、パネル支持部４ａとパネルの上端２ｂの間にクリアランスｄが存在する。
なお、パネル支持部４ａには緩衝部材４ｂを取り付けている。
また、最下端のパネル２の下端部２ａを下枠嵌合溝に挿入し、セッティングブロック１０の受け部に載置し、パネルと横枠（下枠）溝部側壁との間にシーリング材５を充填している。
図３（ロ）に示すように、パネル支持具４に下方向の変位荷重ｆ１が生じると、クリアランスｄの範囲では、下側のパネル２には荷重がかからない。
ここで、パネル支持具４に下方向の変位荷重ｆ１が生じるケースとしては、パネルが熱膨張する場合、図４に示す構造材３が熱膨張又は熱収縮する場合、地震等による揺れが生じる場合等が例として挙げられる。
図４に示すように、方立等の構造材３が長尺であり、構造材３の上部を躯体に吊し、構造材の下端が上下移動するように躯体に固定した場合には、横枠（下枠）１が構造材とは別に躯体に固定してあるので構造材３が熱膨張した場合においても、間隔Ａ、Ｂ、Ｃ等は広くなるが最下端Ｄの寸法が狭くなる。
特に、カーテンウォール等の場合には、方立が長尺であり、Ｄの寸法変位量が大きい。
従って、図３（ハ）に示すように、変位荷重ｆ１がクリアランスｄ以上になると、パネルにｆ２の荷重がかかる。この変位荷重をセッティングブロック１０の受け部１２が下方向に移動して変位荷重ｆ３として吸収し、パネルの破損を防止する。
なお、実施の形態例をカーテンウォールにて説明したが、パネルの移動を吸収するセッティングブロックを有する限りにおいてカーテンウォールに限定されるものでない。
【図面の簡単な説明】
【００１５】
【図１】本発明に係る窓（カーテンウォール）の最下端部のパネル下端を載置しているセッティングブロックの断面図を示す。
【図２】セッティングブロック１０の分解図を示す。
【図３】セッティングブロックが変位荷重を吸収する構造を示す。
【図４】カーテンウォールの縦断面図を示す。
【図５】カーテンウォールを屋外側から見た外観図を示す。
【図６】従来のパネル載置構造例を示す。
【符号の説明】
【００１６】
１    横枠（下枠）
２    パネル
３    構造材（方立）
４    パネル支持具
５    シーリング材
１０  セッティングブロック
１１  本体部
１１ａ本体部の取付部（取付孔）
１２  受け部
１２ａ受け部の側壁片
１２ｂ受け部のガイド孔
１３  弾性体
１４  係止部
１５  ライナー
【図１】
2005273410.tif 000003
【図２】
2005273410.tif 000004
【図３】
2005273410.tif 000005
【図４】
2005273410.tif 000006
【図５】
2005273410.tif 000007
【図６】
2005273410.tif 000008